(57)【要約】【課題】アームレスト本体部に対する収納部材（カップホルダー等）の取付け効率を向上させることである。【解決手段】緩衝材料により形成されて、凹部２２を備えるアームレスト本体部２０と、アームレスト本体部２０に埋め込まれているフレーム３１ｆと、アームレスト本体部２０の凹部２２に配置されるカップホルダー４０（収納部材）とを有するアームレスト１０であって、カップホルダー４０の外周面には、係合部４３が設けられており、アームレスト本体部２０の凹部２２の壁部には、カップホルダー４０の係合部４３に係合する位置にフレーム３１ｆ（被係合部）が緩衝材料に部分的に埋められた状態で設けられており、凹部２２の壁部にはフレーム３１ｆに係合するカップホルダー４０の係合部４３の先端が挿入されるように構成された貫通孔２５（窪み部）が設けられている。【選択図】図９
2018127077.tif 000002
【特許請求の範囲】
【請求項１】
緩衝材料により形成されており、凹部を備えるアームレスト本体部と、前記アームレスト本体部の緩衝材料に埋め込まれているフレームと、前記アームレスト本体部の凹部に配置され、物品を収納する収納部材とを有するアームレストであって、
前記収納部材の外周面には、少なくとも一つの係合部が設けられており、
前記アームレスト本体部の凹部の壁部には、前記収納部材の係合部に係合する位置に被係合部が前記緩衝材料に部分的に埋められた状態で設けられており、
前記アームレスト本体部の凹部の壁部には、前記被係合部に係合する前記収納部材の係合部の先端が挿入されるように構成された窪み部が設けられているアームレスト。
【請求項２】
請求項１に記載されているアームレストであって、
前記被係合部は、前記アームレスト本体部の凹部の壁部に設けられた前記フレームであるアームレスト。
【請求項３】
請求項１又は請求項２のいずれかに記載されたアームレストであって、
前記アームレスト本体部には、前記凹部と外部とを連通させる貫通孔が形成されており、前記貫通孔の凹部側の端部が前記窪み部として使用されるアームレスト。
【請求項４】
請求項１から請求項３のいずれかに記載されたアームレストであって、
前記収納部材の外周面には複数の係合部が設けられており、前記窪み部は前記収納部材の各々の係合部に対応する位置に設けられているアームレスト。
【請求項５】
請求項２から請求項４のいずれかに記載されたアームレストであって、
前記窪み部として使用される貫通孔は、断面円形に形成されているアームレスト。
【請求項６】
請求項２から請求項５のいずれかに記載されたアームレストであって、
前記窪み部として使用される貫通孔の中心は、前記収納部材の係合部の先端中心とほぼ一致しており、
前記貫通孔の内周面の一部と前記フレームの外周面の一部とが接触しているアームレスト。
【請求項７】
請求項２から請求項６のいずれかに記載されたアームレストであって、
前記窪み部として使用される貫通孔は、前記フレームに対して前記アームレスト本体部の凹部の底部寄りに設けられているアームレスト。
【発明の詳細な説明】
【技術分野】
【０００１】
本発明は、物品を収納する収納部材を有するアームレストに関する。
【背景技術】
【０００２】
これに関連するアームレストが特許文献１に記載されている。特許文献１のアームレストは、カップホルダー付のアームレストである。前記アームレストは、発泡体により形成されたアームレスト本体部と、アームレスト本体部に埋め込まれているフレームと、アームレスト本体部を覆う表皮と、カップホルダーとを備えている。前記アームレストは、成形型内にフレームとカップホルダーと表皮とをセットした状態で、前記表皮の内側にアームレスト本体部の素材である発泡材料を注入し、型締めすることにより成形される。
【０００３】
しかし、上記した製造方法によると、発泡不良等によりアームレスト本体部の成形不良が発生すると、フレーム、表皮、及びカップホルダーの全てが使用不能となり経済的でない。この点を改善するため、フレームをインサートしたアームレスト本体部を型成形した後、アームレスト本体部に表皮を被せ、この後、カップホルダーを取付ける方法が一般的に採用されている。
【先行技術文献】
【特許文献】
【０００４】
【特許文献１】特許第５１８９３１９号公報
【発明の概要】
【発明が解決しようとする課題】
【０００５】
カップホルダーをアームレスト本体部の凹部に嵌め込んで固定する場合、一般的に、カップホルダーの係合部を凹部の壁面に部分的に埋め込まれているフレームと係合させる。このとき、アームレスト本体部を構成する緩衝材料（発泡材料）が比較的硬い場合、カップホルダーの係合部の先端がアームレスト本体部の凹部の壁面に食い込み難くなり、カップホルダーの係合部とアームレスト本体部のフレームと係合に手間が掛かる。
【０００６】
本発明は、上記問題点を解決するためになされたものであり、本発明が解決しようとする課題は、アームレスト本体部に対する収納部材（カップホルダー等）の取付け効率を向上させることである。
【課題を解決するための手段】
【０００７】
上記した課題は、各請求項の発明によって解決される。請求項１の発明は、緩衝材料により形成されており、凹部を備えるアームレスト本体部と、前記アームレスト本体部の緩衝材料に埋め込まれているフレームと、前記アームレスト本体部の凹部に配置され、物品を収納する収納部材とを有するアームレストであって、前記収納部材の外周面には、少なくとも一つの係合部が設けられており、前記アームレスト本体部の凹部の壁部には、前記収納部材の係合部に係合する位置に被係合部が前記緩衝材料に部分的に埋められた状態で設けられており、前記アームレスト本体部の凹部の壁部には、前記被係合部に係合する前記収納部材の係合部の先端が挿入されるように構成された窪み部が設けられている。
【０００８】
本発明によると、アームレスト本体部の凹部の壁部には、被係合部に係合する収納部材の係合部の先端が挿入されるように構成された窪み部が設けられている。このため、収納部材の係合部をアームレスト本体部の被係合部に係合させる際、収納部材の係合部がアームレスト本体部の凹部の壁部を構成する緩衝材料と干渉し難くなる。このため、緩衝材料が比較的硬い場合でも収納部材の係合部と前記被係合部との係合をスムーズに行えるようになる。
【０００９】
請求項２の発明によると、被係合部は、アームレスト本体部の凹部の壁部に設けられたフレームである。このため、フレームの有効利用を図れる。
【００１０】
請求項３の発明によると、アームレスト本体部には、凹部と外部とを連通させる貫通孔が形成されており、前記貫通孔の凹部側の端部が前記窪み部として使用される。このため、窪み部を成形ピン等により簡単に成形できる。
【００１１】
請求項４の発明によると、収納部材の外周面には複数の係合部が形成されており、窪み部は前記収納部材の各々の係合部に対応する位置に設けられている。
【００１２】
請求項５の発明によると、窪み部として使用される貫通孔は、断面円形に形成されている。このため、汎用の成形ピンで前記貫通孔の成形を容易に行えるようになる。
【００１３】
請求項６の発明によると、窪み部として使用される貫通孔の中心は、収納部材の係合部の先端中心とほぼ一致しており、前記貫通孔の内周面の一部とフレームの外周面の一部とが接触している。このため、収納部材の係合部が被係合部と係合し易くなる。
【００１４】
請求項７の発明によると、窪み部として使用される貫通孔は、フレームに対してアームレスト本体部の凹部の底部寄りに設けられている。このため、収納部材の係合部をフレームに対して斜め上方から嵌合させ、前記フレームの回りに収納部材を下方に回動させる際、緩衝材料が係合部の先端の移動を妨げない。
【発明の効果】
【００１５】
本発明によると、アームレスト本体部に対する収納部材の取付け効率が向上する。
【図面の簡単な説明】
【００１６】
【図１】本発明の実施形態１に係るアームレストの全体斜視図である。
【図２】前記アームレストの表皮を表す斜視図である。
【図３】前記アームレストのアームレスト本体部を表す斜視図である。
【図４】前記アームレストのフレームを表す斜視図である。
【図５】前記アームレストのカップホルダー（収納部材）の左前方から見た斜視図である。
【図６】前記アームレストのカップホルダー（収納部材）の左後方から見た斜視図である。
【図７】前記アームレストのカップホルダー（収納部材）の正面図である。
【図８】前記アームレスト本体部に対するカップホルダーの取付け途中を表す縦断面図である。
【図９】前記アームレスト本体部に対するカップホルダーの取付け状態を表す縦断面図である。
【発明を実施するための形態】
【００１７】
［実施形態１］
以下、図１〜図９に基づいて、本発明の実施形態１に係るアームレスト１０について説明する。本実施形態に係るアームレスト１０は、乗用車のリヤシートに設けられるアームレストである。ここで、図中に示す前後左右、及び上下は、アームレスト１０の前後左右、及び上下に対応している。
【００１８】
＜アームレスト１０の概要について＞
アームレスト１０は、起立する格納位置から水平な使用位置まで回動可能な状態でリヤシートの側面に装着されており、使用位置でリヤシートに着座している乗員が腕を乗せられるように構成されている。アームレスト１０は、図１等に示すように、アームレスト本体部２０と、そのアームレスト本体部２０に被せられる表皮１３と、アームレスト本体部２０の凹部２２にセットされるカップホルダー４０とを備えている。また、アームレスト本体部２０には、図４に示すように、そのアームレスト本体部２０の強度を確保するためのフレーム３０が埋め込まれている。
【００１９】
＜アームレスト本体部２０について＞
アームレスト本体部２０は、図３に示すように、略長方形のブロック状に形成されており、アームレスト本体部２０の上面２０ｕが後側で高く、前端位置に近づくにつれて徐々に低くなるように構成されている。そして、アームレスト本体部２０の前部にカップホルダー４０がセットされる上部開放形の凹部２２が形成されている。凹部２２は左右方向に長い角穴状に形成されており、その凹部２２の後縦壁部２２ｂの左右両側に縦長凹壁面２２ｋが設けられている。また、アームレスト本体部２０の前面２０ｆから凹部２２の前縦壁部２２ｆ間には、図３、及び図８に示すように、左右一対の貫通孔２５が前後方向に延びるように形成されている。アームレスト本体部２０は、例えば、チップウレタン等の緩衝材料を使用して成形型により成形される。
【００２０】
＜フレーム３０について＞
フレーム３０は、図４に示すように、右辺部３１ｒと前辺部３１ｆと左辺部３１ｚとからなる門形フレーム部３１と、門形フレーム部３１の前部で右辺部３１ｒと左辺部３１ｚ間に掛け渡される梁状フレーム部３３と、門形フレーム部３１の後端位置で右辺部３１ｒと左辺部３１ｚ間に掛け渡される連結金具３５とにより枠状に形成されている。そして、前記連結金具３５が連結ピン等（図示省略）を介してリヤシートに連結されるようになっている。門型フレーム部３１は、アームレスト本体部２０の右端部、前端部、及び左端部に沿って設けられている。そして、前記門型フレーム部３１の前辺部３１ｆが、図８に示すように、アームレスト本体部２０の凹部２２の前縦壁部２２ｆに一部露出した状態で埋め込まれている。また、梁状フレーム部３３が前記凹部２２の後縦壁部２２ｂに埋め込まれており、梁状フレーム部３３の外周面が縦長凹壁面２２ｋに接するように位置決めされている。
【００２１】
＜アームレスト本体部２０の成形について＞
アームレスト本体部２０の成形には、可動型と固定型とからなる成形型（図示省略）が使用される。前記成形型の可動型と固定型とが型締めされた状態では、前記成形型の内部にアームレスト本体部２０の成形空間が形成される。さらに、可動型には、アームレスト本体部２０に貫通孔２５を形成するための左右一対の円柱形の成形ピンが軸方向に進退可能な状態で装着されている。ここで、左右一対の成形ピンの位置は、アームレスト本体部２０の凹部２２にセットされるカップホルダー４０の左右の係合部４３（後記する）の位置に対応するように位置決めされている。
【００２２】
アームレスト本体部２０を成形する際には、先ず、前記成形型の可動型と固定型とが型開きされている状態で、型内の所定位置にフレーム３０がセットされる。このとき、前記成形ピンが型内に進入してフレーム３０の前辺部３１ｆの外周面に接触し、フレーム３０の前部をアームレスト本体部２０の凹部２２の奥側から支える。この状態で、チップウレタン等の緩衝材料が型内にセットされ、成形型の第１型部と第２型部が型締めされることで、アームレスト本体部２０が成形される。
【００２３】
次に、成形型の第１型部と第２型部が型開きされて、前記成形ピンが型内のアームレスト本体部２０から引き抜かれることで、アームレスト本体部２０の左右の貫通孔２５が形成され、アームレスト本体部２０は成形型から取り出し可能になる。ここで、成形型の成形ピンがフレーム３０の前辺部３１ｆに接触しているため、成形ピンにより形成された貫通孔２５は、図８に示すように、フレーム３０の前辺部３１ｆの下側に位置して、貫通孔２５の内周面上端がフレーム３０の前辺部３１ｆの外周面下端に接触している。即ち、貫通孔２５はフレーム３０に対して凹部２２の底部２２ｚ寄りに設けられている。
【００２４】
＜カップホルダー４０について＞
カップホルダー４０は、図５〜図７に示すように、上部開放形の容器状に形成されている。カップホルダー４０の前後の縦内壁部の中央には、内側に突出する平面山形の隆起壁部４１が設けられており、カップホルダー４０の内側空間が左右に分けられている。これにより、カップホルダー４０に、例えば、飲料ボトルを左右に一本ずつ保持できるようになる。また、カップホルダー４０の開口縁には、カップホルダー４０がアームレスト本体部２０の凹部２２にセットされた状態で、その凹部２２の開口周縁を覆うフランジ部４４が形成されている。カップホルダー４０の外周面の前側には、図８等に示すように、アームレスト本体部２０の凹部２２の前縦壁部２２ｆにあるフレーム３０の前辺部３１ｆと係合可能な左右一対の係合部４３が設けられている。
【００２５】
カップホルダー４０の係合部４３は、図５に示すように、半円状の切欠４３ｅと、その切欠４３ｅの下側に設けられた鉤部４３ｆとを備えている。そして、カップホルダー４０の係合部４３の切欠４３ｅが、図９に示すように、フレーム３０の前辺部３１ｆに対して半径方向から嵌合可能に構成されている。そして、係合部４３の切欠４３ｅがフレーム３０の前辺部３１ｆに斜め後上方から嵌合している状態で、カップホルダー４０がフレーム３０の前辺部３１ｆを中心に下回動することで、係合部４３の鉤部４３ｆが前辺部３１ｆに対して下方から係合するようになる。ここで、カップホルダー４０の左右の係合部４３の鉤部４３ｆは、図７に示すように、アームレスト本体部２０の左右の貫通孔２５に対応する位置に位置決めされている。即ち、左右の係合部４３の鉤部４３ｆにおける中心がそれぞれアームレスト本体部２０の左右の貫通孔２５の中心と一致するようになる。
【００２６】
カップホルダー４０の外周面の後側には、図８等に示すように、アームレスト本体部２０の凹部２２の縦長凹壁面２２ｋ（後縦壁部２２ｂ）にある梁状フレーム部３３に対して弾性力で係合する左右一対のフック部４６が設けられている。フック部４６は、逆Ｌ字形に成形されて先端部（下端部）が前後方向に変位可能に構成された弾性変形部４６ｂと、その弾性変形部４６ｂの下端に設けられて、梁状フレーム部３３に対して下方から掛けられるフック本体部４６ｋとから構成されている。また、カップホルダー４０の外周面の後側には、フック部４６よりも下側の位置に楔状のガイド片４７が設けられている。さらに、カップホルダー４０の外周面の左右両側には、上下に延びるリブ部４５が形成されている。即ち、カップホルダー４０が本発明の収納部材に相当する。
【００２７】
＜カップホルダー４０の取付けについて＞
アームレスト本体部２０が成形されると、そのアームレスト本体部２０に対して表皮１３が被せられる。ここで、表皮１３には、図２に示すように、アームレスト本体部２０の凹部２２の対応する位置に開口部１４が形成されており、表皮１３の開口部１４の周縁でアームレスト本体部２０の凹部２２の開口周縁が覆われるようになる。アームレスト本体部２０に対して表皮１３が被せられると、次に、アームレスト本体部２０の凹部２２に対してカップホルダー４０がセットされる。
【００２８】
カップホルダー４０のセット手順を説明する。先ず、アームレスト本体部２０の凹部２２の前縦壁部２２ｆにおけるフレーム３０の前辺部３１ｆに対して、図８に示すように、カップホルダー４０の左右の係合部４３の切欠４３ｅを後上方から嵌合させる。次に、フレーム３０の前辺部３１ｆと左右の係合部４３の切欠４３ｅとが嵌合している状態で、フレーム３０の前辺部３１ｆを中心にしてカップホルダー４０を下方に回動させる。このとき、カップホルダー４０の下回動に伴って係合部４３の鉤部４３ｆの先端が、図９に示すように、アームレスト本体部２０の貫通孔２５に押し込まれるようになる。これにより、アームレスト本体部２０を構成するウレタン製の緩衝材料が比較的硬い場合でも、凹部２２の前縦壁部２２ｆ（緩衝材料）がカップホルダー４０の下回動を妨げることがなくなる。
【００２９】
また、カップホルダー４０がフレーム３０の前辺部３１ｆを中心に下回動することで、カップホルダー４０の後側下部に設けられているガイド片４７がアームレスト本体部２０の凹部２２の後縦壁部２２ｂを弾性変形させつつ、凹部２２の内側に押し込まれる。そして、カップホルダー４０のフック部４６がガイド片４７にガイドされた状態で凹部２２の内側に導かれる。凹部２２の内側に導かれたフック部４６のフック本体部４６ｋは、凹部２２の縦長凹壁面２２ｋ（後縦壁部２２ｂ）に埋められた梁状フレーム部３３の前側を通過する際、その梁状フレーム部３３によって前方に押圧される。これにより、フック本体部４６ｋは、フック部４６の弾性変形部４６ｂの弾性力に抗して前方に変位する。そして、フック本体部４６ｋが梁状フレーム部３３の前側を通過した後は、図９に示すように、フック本体部４６ｋが弾性変形部４６ｂの弾性力により梁状フレーム部３３に対して下方から掛けられる。また、カップホルダー４０のフック本体部４６ｋが梁状フレーム部３３に掛けられた状態で、前側の係合部の鉤部４３ｆがフレーム３０の前辺部３１ｆに対して下方から係合し、カップホルダー４０のセットが完了する。
【００３０】
＜本実施形態に係るアームレスト１０の長所について＞
本実施形態に係るアームレスト１０によると、アームレスト本体部２０の凹部２２の壁部には、フレーム３０の前辺部３１ｆ（被係合部）と係合するカップホルダー４０（収納部材）の係合部４３（鉤部４３ｆ）の先端を収納できる貫通孔２５（窪み部）が形成されている。このため、カップホルダー４０の係合部４３をアームレスト本体部２０のフレーム３０の前辺部３１ｆに係合させる際、カップホルダー４０の係合部４３がアームレスト本体部２０の凹部２２の壁部を構成する緩衝材料と干渉し難くなる。このため、前記緩衝材料が比較的硬い場合でもカップホルダー４０の係合部４３とフレーム３０との係合をスムーズに行えるようになる。
【００３１】
アームレスト本体部２０の凹部２２と外部とを連通させる貫通孔２５により窪み部を形成するため、窪み部を成形ピン等により簡単に形成できる。また、貫通孔２５は、断面円形に形成されているため、汎用の成形ピンで貫通孔２５の成形を容易に行える。さらに、貫通孔２５の中心は、カップホルダー４０の係合部４３の鉤部４３ｆの中心と一致しており、前記貫通孔２５の内周面上部とフレーム３０の前辺部３１ｆの外周面下部とが接触している。このため、カップホルダー４０の係合部４３がフレーム３０の前辺部３１ｆと係合し易くなる。また、貫通孔２５は、フレーム３０の前辺部３１ｆの下側に設けられている。このため、カップホルダー４０の係合部４３をフレーム３０の前辺部３１ｆに対して斜め後上方から嵌合させ、前記前辺部３１ｆの回りにカップホルダー４０を下方に回動させる際、緩衝材料が係合部の先端の移動を妨げない。
【００３２】
＜変更例＞
ここで、本発明は上記実施形態に限定されるものではなく、本発明の要旨を逸脱しない範囲における変更が可能である。本実施形態では、アームレスト本体部２０の前面２０ｆから凹部２２の前縦壁部２２ｆ間を貫通する貫通孔２５を形成する例を示した。しかし、アームレスト本体部２０の貫通孔２５の前面２０ｆ側を塞ぎ、凹部２２の前縦壁部２２ｆに貫通孔２５による窪み部を形成することも可能である。また、本実施形態では、断面円形の貫通孔２５を形成する例を示したが、貫通孔２５の断面形状は適宜変更可能である。また、本実施形態では、カップホルダー４０の左右の係合部４３に合わせて、アームレスト本体部２０に左右一対の貫通孔２５を形成する例を示した。しかし、カップホルダー４０の係合部４３の数に応じて、アームレスト本体部２０の貫通孔２５の数を変更することも可能である。また、本実施形態では、アームレスト本体部２０の凹部２２にカップホルダー４０を取付ける例を示したが、カップホルダー４０以外の小物入れ等に本発明を適用することも可能である。
【符号の説明】
【００３３】
１０・・・・アームレスト
２０・・・・アームレスト本体部
２２・・・・凹部
２２ｂ・・・後縦壁部（壁部）
２２ｋ・・・縦長凹壁面（壁部）
２２ｆ・・・前縦壁部（壁部）
２２ｚ・・・底部
２５・・・・貫通孔
３０・・・・フレーム
３１ｆ・・・前辺部（被係合部）
３３・・・・梁状フレーム部
４０・・・・カップホルダー（収納部材）
４３・・・・係合部
４３ｅ・・・切欠
４３ｆ・・・鉤部
【図１】
2018127077.tif 000003
【図２】
2018127077.tif 000004
【図３】
2018127077.tif 000005
【図４】
2018127077.tif 000006
【図５】
2018127077.tif 000007
【図６】
2018127077.tif 000008
【図７】
2018127077.tif 000009
【図８】
2018127077.tif 000010
【図９】
2018127077.tif 000011